【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
それぞれが表面を有する１つ以上の粒子の表面特性を分析するための方法であって、
化学種に対し所与の親和性を有する少なくとも１つの捕捉域を有するサンプルホルダに複数の粒子を有する懸濁液を導入することと、
結合相互作用が該少なくとも１つの捕捉域と該粒子の少なくともサブセットとの間で生じることを可能とするように、該複数の粒子の少なくともサブセットを該少なくとも１つの捕捉域と接触させることであって、該結合相互作用は、該粒子の表面構造に関係している、ことと、
該粒子の少なくともサブセットのうちの少なくとも２つに同時に光学力を適用することであって、該力は、該粒子の反応を引き起こす傾向にあり、該反応は、該粒子と該少なくとも１つの捕捉域との間の結合相互作用の有無、または程度に依存する、ことと、
該光学力に対する該少なくとも２つの粒子の該反応を検知することと、
該粒子表面と該捕捉域との間に配置された化学種の有無、または量を判断するために該検知反応を使用することと
を含む、方法。
【請求項２】
前記光学力を適用することは、ＨＯＴを使用することを含む、請求項１に記載の方法。
【請求項３】
前記接触させることは、複数の粒子を単一の捕捉域と接触させることを含み、光学力に対する該複数の粒子の前記反応が検知される、請求項１に記載の方法。
【請求項４】
結合相互作用が該第１の捕捉域と該第１の粒子との間で生じることを可能とするように、第１の化学種に対し特異的な結合親和性を有する第１の捕捉域と第１の粒子を接触させることであって、該結合相互作用は、該第１の粒子の表面と該第１の捕捉域との間に配置される該第１の化学種の分子の存在に関係している、ことと、
結合相互作用が、該第２の捕捉域と該第２の粒子との間で生じることを可能とするように、第２の化学種に対し特異的な結合親和性を有する第２の捕捉域と第２の粒子を接触させることであって、該結合相互作用は、該第２の粒子の表面と該第２の捕捉域との間に配置される該第２の化学種の分子の存在に関係している、ことと、
該第１および第２の粒子に光学力を適用することであって、該力は、該粒子の反応を生じさせる傾向にある、ことと、
該光学力に対する該第１および第２の粒子の該反応を検知することと、
該第１の粒子表面と該第１の捕捉域との間に配置された該第１の化学種、および該第２の粒子表面と該第２の捕捉域との間に配置された該第２の化学種の有無、または量を判断するために該検知反応を使用することと
をさらに含む、請求項１から３のいずれか１項に記載の方法。
【請求項５】
患者の血液サンプル中の複数の血液細胞表面抗原の有無、または量を判定するための方法であって、
血液サンプルを希釈することと、
該希釈血液サンプルを第１および第２の捕捉域と該希釈血液サンプルを接触させることであって、該第１の域は第１の血液細胞抗原に対して特異的な親和性を有するように官能化され、該第２の域は、第２の血液細胞抗原に対して特異的な親和性を有するように官能化される、ことと、
除去する成分を有する第１の光学力を該第１の域の少なくとも１つの細胞に適用することであって、該第１の力は、該第１の血液細胞抗原が細胞上に存在しない場合、該第１の域から該細胞を除去するのに十分な大きさであるが、該第１の血液細胞抗原が存在する細胞を除去するには不十分な大きさである、ことと、
除去する成分を有する第２の光学力を該第２の域の少なくとも１つの細胞に適用することであって、該第２の力は、該第２の血液細胞抗原が細胞に存在しない場合、該第２の域から該細胞を除去するのに十分な大きさであるが、該第２の血液細胞抗原が存在する細胞を除去するには不十分な大きさである、ことと、
該域から該細胞の除去または非除去を検知することと
を含む、方法。
【請求項６】
接触させることは、重力下で前記細胞が沈殿することを可能にすることをさらに含む、請求項５に記載の方法。
【請求項７】
１つ以上の粒子上の標的部分の有無、または量を分析する装置であって、
基質と、
基質上に配置された第１および第２捕捉域と、
を含み、
各捕捉域は、複数のプローブ部分を含み、該第１および第２の捕捉域のアビディティは、該捕捉域に対してより高い親和性を有する粒子が、変位させる光学力の存在下で保持される傾向にあり、該捕捉域に対してより低い親和性を有する粒子が、変位させる光学力の存在下で変位させられる傾向にあるように構成され、該光学力は規定範囲内にある、装置。
【請求項８】
カバーであって、ベース、捕捉域、およびカバーのうちの少なくとも１つが光学的に透明である、カバーと、
該捕捉域と該カバーとにより画定される容積の入口および出口と、
該捕捉域から該カバーを離し、哺乳類の細胞を含む溶液が導入されると、大部分の細胞が５分以内に該捕捉域に沈殿するような大きさのスペーサであって、該捕捉域と該カバーにより画定される該容積への受動的流動による溶液の導入を可能とする大きさであるスペーサと
をさらに含む、請求項７に記載の装置。
【請求項９】
ＩｇＭ溶液を複数の抗原結合領域を含むフラグメントの溶液に分割することと、
該結合領域を抗原結合サブフラグメントにさらに分割することと、
第１の抗原の特異的結合認識用の捕捉域を生成するために該サブフラグメントを基質に付着させることと
を含む、方法。
【請求項１０】
第２の抗原の特異的結合認識用の第２の捕捉域を生成することをさらに含む、請求項９に記載の方法。
【請求項１１】
溶液中の複数の分子の有無、または量を判定するための方法であって、
第１の固定化プローブを伴う少なくとも第１の捕捉域と第２の固定化プローブを伴う第２の捕捉域とを有する基質を提供することと、
該プローブに検体分子を結合させるのに十分な条件下で検体溶液と該捕捉域を接触させることと、
結合検体分子の複数種に特異的に結合する固定化汎用性プローブを有する粒子と該結合検体を接触させることと、
光学力を該粒子に適用することと、
該汎用性プローブと該結合検体との間の結合に依存する該光学力に対する該粒子の反応を観察することと
を含む、方法。
【請求項１２】
複数の粒子と前記結合検体を接触させることと、該粒子に光学力を適用することと、該粒子の反応を観察することとをさらに含む、請求項１１に記載の方法。
【請求項１３】
コンピュータシステムとともに使用するための有形のコンピュータ読み取り可能媒体上のコンピュータプログラム製品であって、
捕捉域に接触している複数の着目粒子を同定するためのコンピュータコードと、
該粒子への変位させる光学力の適用を作動するためのコンピュータコードと、
該光学力に対する観察した該粒子の反応を記録するためのコンピュータコードと
を含む、コンピュータプログラム製品。
【請求項１４】
複数の顕微鏡視野を選択するためのコンピュータコードをさらに含む、請求項１３に記載のコンピュータプログラム製品。
【請求項１５】
複数の粒子の表面特性を分析するための方法であって、
該複数の粒子を含有する懸濁を基質上に複数の捕捉域を有する流体カートリッジに導入することであって、該カートリッジは、カバーにより結合される流体カラムを画定する、ことと、
該捕捉域に接触するように該粒子を沈殿させることと、
光学力を該粒子に適用することと、
該光学力に対する該粒子の反応を観察することと
を含み、
該流体カラムの高さは、赤血球が１０分未満の時間で該捕捉域に接触するように沈殿することを可能とするように選択される、方法。
【請求項１６】
前記時間は５分未満である、請求項１５に記載の方法。
【請求項１７】
競合的測定法のための方法であって、
複数のサンドイッチ構造を生成することであって、各サンドイッチ構造は、基質に固定される第１のプローブ分子の集まりと、可逆的に該第１のプローブ分子に結合する代理分子の集まりと、可逆的に該代理分子に結合する複数の第２のプローブ分子を担持する粒子とを含む、ことと、
検体溶液を導入することと、
該第１および第２のプローブ分子に対する親和性を有する検体分子が、該粒子と該基質との間の結合強度を変更するように、該代理分子の少なくともいくつかを変位させるのに十分な時間インキュベートすることと、
光学力を該粒子に適用することと、
該光学力に対する該粒子の反応を観察することと、
該検体溶液の内容を判定するために該反応を使用することと
を含む、方法。
【請求項１８】
異なる対応する検体分子に特異的なサンドイッチ構造が、複数の検体種について報告するように、前記基質の異なる領域に配置される、請求項１７に記載の方法。
【請求項１９】
ＨＯＴ性能と顕微鏡を使用する成分サンプル処理システムであって、
包囲体と、
サンプル領域を有するサンプルステージと、
ＨＯＴサブシステムであって、
レーザと、
回折光学要素と、
該サンプル領域に誘導されたＨＯＴ放出口と、
該サンプル領域に誘導された供給源出力を有する少なくとも１つの照明源と、
該サンプル領域と光学的に整列可能な対物レンズと、
該サンプル領域にフォーカスされるように構成されたカメラと
を含む、ＨＯＴサブシステムと
を含み、
少なくとも、該サンプル領域、該ＨＯＴ放出口、および該照明源出力は、該包囲体に包囲されている、システム。
【請求項２０】
統合コンピュータインターフェース、蓋の開放に応じてレーザ照明を遮断するための安全機構、流体サンプルカートリッジを位置決めするためのジグ、車輪付き台、および搭載された照明源から成る群から選択される少なくとも１つの特徴をさらに含む、請求項１９に記載のシステム。
【手続補正２】
【補正対象書類名】明細書
【補正対象項目名】００４０
【補正方法】変更
【補正の内容】
【００４０】
任意に、または追加で、全ての構成要素は、可搬構造上に担持される。本システムは、統合コンピュータインターフェース、蓋の開放に応じてレーザ照明を遮断するための安全機構、流体サンプルカートリッジを配置するためのジグ、および車輪付き台からなる群から選択される少なくとも１つの特徴も含んでもよい。
例えば、本発明は以下の項目を提供する。
（項目１）
それぞれが表面を有する１つ以上の粒子の表面特性を分析するための方法であって、
化学種に対し所与の親和性を有する少なくとも１つの捕捉域を有するサンプルホルダに複数の粒子を有する懸濁液を導入することと、
結合相互作用が該少なくとも１つの捕捉域と該粒子の少なくともサブセットとの間で生じることを可能とするように、該複数の粒子の少なくともサブセットを該少なくとも１つの捕捉域と接触させることであって、該結合相互作用は、該粒子の表面構造に関係している、ことと、
該粒子の少なくともサブセットのうちの少なくとも２つに同時に光学力を適用することであって、該力は、該粒子の反応を引き起こす傾向にあり、該反応は、該粒子と該少なくとも１つの捕捉域との間の結合相互作用の有無、または程度に依存する、ことと、
該光学力に対する該少なくとも２つの粒子の該反応を検知することと、
該粒子表面と該捕捉域との間に配置された化学種の有無、または量を判断するために該検知反応を使用することと
を含む、方法。
（項目２）
上記光学力を適用することは、ＨＯＴを使用することを含む、項目１に記載の方法。
（項目３）
上記接触させることは、複数の粒子を単一の捕捉域と接触させることを含み、光学力に対する該複数の粒子の上記反応が検知される、項目１に記載の方法。
（項目４）
結合相互作用が該第１の捕捉域と該第１の粒子との間で生じることを可能とするように、第１の化学種に対し特異的な結合親和性を有する第１の捕捉域と第１の粒子を接触させることであって、該結合相互作用は、該第１の粒子の表面と該第１の捕捉域との間に配置される該第１の化学種の分子の存在に関係している、ことと、
結合相互作用が、該第２の捕捉域と該第２の粒子との間で生じることを可能とするように、第２の化学種に対し特異的な結合親和性を有する第２の捕捉域と第２の粒子を接触させることであって、該結合相互作用は、該第２の粒子の表面と該第２の捕捉域との間に配置される該第２の化学種の分子の存在に関係している、ことと、
該第１および第２の粒子に光学力を適用することであって、該力は、該粒子の反応を生じさせる傾向にある、ことと、
該光学力に対する該第１および第２の粒子の該反応を検知することと、
該第１の粒子表面と該第１の捕捉域との間に配置された該第１の化学種、および該第２の粒子表面と該第２の捕捉域との間に配置された該第２の化学種の有無、または量を判断するために該検知反応を使用することと
をさらに含む、項目１から３のいずれか１項に記載の方法。
（項目５）
上記粒子に力を適用することの前に粒子を同定することをさらに含む、項目１から４のいずれか１項に記載の方法。
（項目６）
粒子を同定すること、
第１のグループの同定された粒子を選択すること、
該第１のグループの粒子に光学力を適用すること、
第２のグループの粒子を選択すること、および
該第２のグループの粒子に光学力を適用すること
をさらに含む、項目５に記載の方法。
（項目７）
データ取得閾値に達するように、上記プロセスを反復することをさらに含む、項目１から６のいずれか１項に記載の方法。
（項目８）
上記力は、上記捕捉域に垂直かつ該捕捉域から離れる向きの成分を有する、項目１から７のいずれか１項に記載の方法。
（項目９）
上記力は、上記捕捉域により画定される平面と平行な成分を有する、項目１から８のいずれか１項に記載の方法。
（項目１０）
上記力は、上記捕捉域により画定される平面に垂直である第１の方向と、平面と平行な第２の方向との双方において、該捕捉域から離れた位置に非結合粒子を変位させる傾向にある、項目１から９のいずれか１項に記載の方法。
（項目１１）
上記反応は、上記捕捉域から粒子を除去することを含む、項目１から１０のいずれか１項に記載の方法。
（項目１２）
上記粒子は、細胞である、項目１から１１のいずれか１項に記載の方法。
（項目１３）
上記化学種は、細胞表面抗原である、項目１から１２のいずれか１項に記載の方法。
（項目１４）
上記粒子は赤血球であり、少なくとも１つの捕捉域は、細胞表面抗原に特異的なプローブを含む、項目１３に記載の方法。
（項目１５）
上記判定は、血液型をさらに判定するために使用される、項目１４に記載の方法。
（項目１６）
上記血液型は、３つ以上の細胞表面抗原の判定を含む、項目１５に記載の方法。
（項目１７）
上記血液型は、マイナーな血液型である、項目１６に記載の方法。
（項目１８）
上記プローブは、抗体、抗体断片、ペプチドリガンド、およびアプタマーのうちの１つである、項目１４に記載の方法。
（項目１９）
上記接触させることは、溶液を介して上記粒子が沈殿することを可能とすることを含む、項目１から１８のいずれか１項に記載の方法。
（項目２０）
上記接触させることは、上記粒子を沈殿させるために重力を使用することをさらに含む、項目１９に記載の方法。
（項目２１）
上記接触させることは、上記粒子を沈殿させるために光学力を使用することをさらに含む、項目１９に記載の方法。
（項目２２）
上記光学力は、上記第１の粒子が沈殿した実質的に同一の溶液中に包含されている間に、該第１の粒子に適用される、項目１９に記載の方法。
（項目２３）
上記接触させることは、一部は上記第１の表面により、そして一部は第１の表面から離れたカバーにより画定される容積に溶液を導入することをさらに含み、該表面と該カバーのうちの少なくとも１つが実質的に光学的に透明である、項目１から２２のいずれか１項に記載の方法。
（項目２４）
上記カバーは、上記第１の粒子の直径の１倍を超えかつ１０００倍未満の距離で上記第１の表面から離れている、項目２３に記載の方法。
（項目２５）
上記カバーは、上記第１の粒子の直径の２倍を超えかつ２０倍未満の距離で上記第１の表面から離れている、項目２３に記載の方法。
（項目２６）
上記カバーは、１５ミクロンから５００ミクロンの範囲の距離で上記第１の表面から離れている、項目２３に記載の方法。
（項目２７）
上記カバーは、上記第１の表面と該カバーにより画定される空間の閉塞を生じないくらい十分に大きいが、上記第１の粒子が１０分未満で沈殿できるくらい十分に小さい距離だけ該表面から離れている、項目２３に記載の方法。
（項目２８）
上記光学力を適用することは、ホログラフィック光ピンセットの使用を含む、項目１から２７のいずれか１項に記載の方法。
（項目２９）
少なくとも第１の捕捉域は、第１の標的部分に対して特異性を有する複数のプローブ分子を含み、該プローブ分子は、その上に複数の第１の標的部分を有する粒子に対してアビディティを有するように構成されており、該プローブ分子の該構成は、規定範囲内の力で除去することが可能であるように選択されている、項目１から２８のいずれか１項に記載の方法。
（項目３０）
上記規定範囲は、１から１０００ｐＮである、項目２９に記載の方法。
（項目３１）
上記規定範囲は、１０から２００ｐＮである、項目３０に記載の方法。
（項目３２）
上記規定範囲は、２０から１００ｐＮである、項目３１に記載の方法。
（項目３３）
第２の捕捉域は、第２の標的部分に対して特異性を有する複数のプローブ分子を含み、該プローブ分子は、その上に複数の第２の標的部分を有する粒子に対してアビディティを有するように上記表面において構成されており、該プローブ分子の該構成は、規定範囲内の力で除去することが可能であるように選択されている、項目２９から項目３１のいずれか１項に記載の方法。
（項目３４）
上記規定範囲は、１から１０００ｐＮである、項目３３に記載の方法。
（項目３５）
上記規定範囲は、１０から２００ｐＮである、項目３３に記載の方法。
（項目３６）
上記規定範囲は、２０から１００ｐＮである、項目３３に記載の方法。
（項目３７）
捕捉域の上記プローブ分子は、上記表面と該プローブを連結するリンカ部分の長さを変更することにより、規定範囲で除去するように構成されている、項目２９から項目３６のいずれか１項に記載の方法。
（項目３８）
捕捉域の上記プローブ分子は、該プローブの面密度を変更することにより、規定範囲で除去するように構成されている、項目２９から項目３６のいずれか１項に記載の方法。
（項目３９）
第１および第２の密度を達成するように、上記プローブを離すために非結合性表面部分を使用することをさらに含む、項目３８に記載の方法。
（項目４０）
細胞の細胞表面抗原を特徴付けることをさらに含み、上記面密度は、該細胞表面上の細胞表面抗原の予測密度に基づき選択される、項目３８に記載の方法。
（項目４１）
光学力を適用することは、粒子から隔たった位置に光学トラップの中心を置くことを含み、該粒子のポテンシャルエネルギーは、上記表面でかなりあり、該光学トラップの中心で最小であるため、該粒子が該トラップの光学力により該表面から除去される場合、該粒子は、該光学トラップの中心に移動する、項目１から４０のいずれか１項に記載の方法。
（項目４２）
上記接触させることは、受動的流動により溶液に上記第１の粒子を導入することを含む、項目１から４１のいずれか１項に記載の方法。
（項目４３）
時間とともに上記光学力の大きさを増すように、粒子に適用される該力の大きさを変動させることと、上記表面から上記粒子を除去するために必要な力の量を記録することとをさらに含む、項目１から４２のいずれか１項に記載の方法。
（項目４４）
上記粒子表面上の上記第１の化学種の有無、または量を判定するために、上記記録された力を基準力と比較することを含む、項目４３に記載の方法。
（項目４５）
上記検知することは、自動顕微鏡検査を使用することを含む、項目１から４４のいずれか１項に記載の方法。
（項目４６）
上記光学力を適用することは、自動化されている、項目４５に記載の方法。
（項目４７）
分析前に上記サンプルを希釈することおよび濾過することから選択された操作を実施するために、上記サンプルホルダを使用することをさらに含む、項目１から４６のいずれか１項に記載の方法。
（項目４８）
上記光学力を適用することは、ＨＯＴを使用することを含む、項目１から４７のいずれか１項に記載の方法。
（項目４９）
患者の血液サンプル中の複数の血液細胞表面抗原の有無、または量を判定するための方法であって、
血液サンプルを希釈することと、
該希釈血液サンプルを第１および第２の捕捉域と該希釈血液サンプルを接触させることであって、該第１の域は第１の血液細胞抗原に対して特異的な親和性を有するように官能化され、該第２の域は、第２の血液細胞抗原に対して特異的な親和性を有するように官能化される、ことと、
除去する成分を有する第１の光学力を該第１の域の少なくとも１つの細胞に適用することであって、該第１の力は、該第１の血液細胞抗原が細胞上に存在しない場合、該第１の域から該細胞を除去するのに十分な大きさであるが、該第１の血液細胞抗原が存在する細胞を除去するには不十分な大きさである、ことと、
除去する成分を有する第２の光学力を該第２の域の少なくとも１つの細胞に適用することであって、該第２の力は、該第２の血液細胞抗原が細胞に存在しない場合、該第２の域から該細胞を除去するのに十分な大きさであるが、該第２の血液細胞抗原が存在する細胞を除去するには不十分な大きさである、ことと、
該域から該細胞の除去または非除去を検知することと
を含む、方法。
（項目５０）
接触させることは、重力下で上記細胞が沈殿することを可能にすることをさらに含む、項目４９に記載の方法。
（項目５１）
１つ以上の粒子上の標的部分の有無、または量を分析する装置であって、
基質と、
基質上に配置された第１および第２捕捉域と、
を含み、
各捕捉域は、複数のプローブ部分を含み、該第１および第２の捕捉域のアビディティは、該捕捉域に対してより高い親和性を有する粒子が、変位させる光学力の存在下で保持される傾向にあり、該捕捉域に対してより低い親和性を有する粒子が、変位させる光学力の存在下で変位させられる傾向にあるように構成され、該光学力は規定範囲内にある、装置。
（項目５２）
カバーであって、ベース、捕捉域、およびカバーのうちの少なくとも１つが光学的に透明である、カバーと、
該捕捉域と該カバーとにより画定される容積の入口および出口と、
該捕捉域から該カバーを離し、哺乳類の細胞を含む溶液が導入されると、大部分の細胞が５分以内に該捕捉域に沈殿するような大きさのスペーサであって、該捕捉域と該カバーにより画定される該容積への受動的流動による溶液の導入を可能とする大きさであるスペーサと
をさらに含む、項目５１に記載の装置。
（項目５３）
上記カバーは、光学的に、赤外光に透明である、項目５２に記載の装置。
（項目５４）
上記規定範囲は、１から１０００ｐＮである、項目５１または５２に記載の装置。
（項目５５）
上記規定範囲は、１０から２００ｐＮである、項目５４に記載の装置。
（項目５６）
上記規定範囲は、２０から１００ｐＮである、項目５５に記載の装置。
（項目５７）
上記装置は、血液型検査のために構成される、項目５１から５６のいずれか１項に記載の装置。
（項目５８）
上記装置は、上記サンプルを希釈することおよび濾過することから選択されるサンプルの操作手順を実施するように作動可能である、項目５１から５７のいずれか１項に記載の装置。
（項目５９）
ＩｇＭ溶液を複数の抗原結合領域を含むフラグメントの溶液に分割することと、
該結合領域を抗原結合サブフラグメントにさらに分割することと、
第１の抗原の特異的結合認識用の捕捉域を生成するために該サブフラグメントを基質に付着させることと
を含む、方法。
（項目６０）
第２の抗原の特異的結合認識用の第２の捕捉域を生成することをさらに含む、項目５９に記載の方法。
（項目６１）
粒子を上記第１および第２の捕捉域にさらに曝し、該粒子表面上に存在する抗原を同定するために、該域に対する該粒子の親和性をランク付けする、項目６０に記載の方法。
（項目６２）
上記粒子は細胞である、項目６１に記載の方法。
（項目６３）
上記親和性をランク付けすることは、上記粒子へ光学力を適用することを含む、項目６０に記載の方法。
（項目６４）
力は、同時に第２の粒子に適用される、項目６３に記載の方法。
（項目６５）
上記力は、ＨＯＴを使用して適用される、項目６４に記載の方法。
（項目６６）
溶液中の複数の分子の有無、または量を判定するための方法であって、
第１の固定化プローブを伴う少なくとも第１の捕捉域と第２の固定化プローブを伴う第２の捕捉域とを有する基質を提供することと、
該プローブに検体分子を結合させるのに十分な条件下で検体溶液と該捕捉域を接触させることと、
結合検体分子の複数種に特異的に結合する固定化汎用性プローブを有する粒子と該結合検体を接触させることと、
光学力を該粒子に適用することと、
該汎用性プローブと該結合検体との間の結合に依存する該光学力に対する該粒子の反応を観察することと
を含む、方法。
（項目６７）
複数の粒子と上記結合検体を接触させることと、該粒子に光学力を適用することと、該粒子の反応を観察することとをさらに含む、項目６６に記載の方法。
（項目６８）
上記粒子への上記力の適用は、同時に実施される、項目６７に記載の方法。
（項目６９）
上記検体溶液は、流体連通が上記捕捉域間で確立されるような方法で複数の捕捉域に接触する、項目６７に記載の方法。
（項目７０）
上記検体溶液は、捕捉域間の流体連通なしに複数の捕捉域に接触する、項目６７に記載の方法。
（項目７１）
上記検体溶液は患者の抗体を含む、項目６６から６９のいずれか１項に記載の方法。
（項目７２）
上記汎用性プローブは、上記患者の抗体のうちの少なくとも１つの種類に対する広範な選択性を有する二次抗体を含む、項目７１に記載の方法。
（項目７３）
上記種類は、ＩｇＧ、ＩｇＥ、ＩｇＡ、およびＩｇＭのうちの１つから選択される、項目７２に記載の方法。
（項目７４）
コンピュータシステムとともに使用するための有形のコンピュータ可読媒体上のコンピュータプログラム製品であって、
捕捉域に接触している複数の着目粒子を同定するためのコンピュータコードと、
該粒子への変位させる光学力の適用を作動するためのコンピュータコードと、
該光学力に対する観察した該粒子の反応を記録するためのコンピュータコードと
を含む、コンピュータプログラム製品。
（項目７５）
複数の顕微鏡視野を選択するためのコンピュータコードをさらに含む、項目７４に記載のコンピュータプログラム製品。
（項目７６）
閾値量のデータが蓄積された時を判定するためのコンピュータコードをさらに含む、項目７４に記載のコンピュータプログラム製品。
（項目７７）
複数の粒子の表面特性を分析するための方法であって、
該複数の粒子を含有する懸濁を基質上に複数の捕捉域を有する流体カートリッジに導入することであって、該カートリッジは、カバーにより結合される流体カラムを画定する、ことと、
該捕捉域に接触するように該粒子を沈殿させることと、
光学力を該粒子に適用することと、
該光学力に対する該粒子の反応を観察することと
を含み、
該流体カラムの高さは、赤血球が１０分未満の時間で該捕捉域に接触するように沈殿することを可能とするように選択される、方法。
（項目７８）
上記時間は５分未満である、項目７７に記載の方法。
（項目７９）
競合的測定法のための方法であって、
複数のサンドイッチ構造を生成することであって、各サンドイッチ構造は、基質に固定される第１のプローブ分子の集まりと、可逆的に該第１のプローブ分子に結合する代理分子の集まりと、可逆的に該代理分子に結合する複数の第２のプローブ分子を担持する粒子とを含む、ことと、
検体溶液を導入することと、
該第１および第２のプローブ分子に対する親和性を有する検体分子が、該粒子と該基質との間の結合強度を変更するように、該代理分子の少なくともいくつかを変位させるのに十分な時間インキュベートすることと、
光学力を該粒子に適用することと、
該光学力に対する該粒子の反応を観察することと、
該検体溶液の内容を判定するために該反応を使用することと
を含む、方法。
（項目８０）
異なる対応する検体分子に特異的なサンドイッチ構造が、複数の検体種について報告するように、上記基質の異なる領域に配置される、項目７９に記載の方法。
（項目８１）
上記代理分子は、対応する検体分子より、上記粒子と上記基質との間でより強い結合力を生み出す傾向がある、項目７９または項目８０に記載の方法。
（項目８２）
上記代理分子は、対応する検体分子より、上記粒子と上記基質との間でより弱い結合力を生み出す傾向がある、項目７９または項目８０に記載の方法。
（項目８３）
光学力は、複数の粒子に同時に適用される、項目７９から８２のいずれか１項に記載の方法。
（項目８４）
ＨＯＴ性能と顕微鏡を使用する成分サンプル処理システムであって、
包囲体と、
サンプル領域を有するサンプルステージと、
ＨＯＴサブシステムであって、
レーザと、
回折光学要素と、
該サンプル領域に誘導されたＨＯＴ放出口と、
該サンプル領域に誘導された供給源出力を有する少なくとも１つの照明源と、
該サンプル領域と光学的に整列可能な対物レンズと、
該サンプル領域にフォーカスされるように構成されたカメラと
を含む、ＨＯＴサブシステムと
を含み、
少なくとも、該サンプル領域、該ＨＯＴ放出口、および該照明源出力は、該包囲体に包囲されている、システム。
（項目８５）
上記システムおよび全ての構成要素は可搬構造上に担持される、項目８４に記載の成分サンプル処理システム。
（項目８６）
統合コンピュータインターフェース、蓋の開放に応じてレーザ照明を遮断するための安全機構、流体サンプルカートリッジを位置決めするためのジグ、車輪付き台、および搭載された照明源から成る群から選択される少なくとも１つの特徴をさらに含む、項目８４に記載のシステム。
（項目８７）
図示および説明されたＨＯＴおよび顕微鏡のためのシステム。
（項目８８）
図示および説明された流体カートリッジ。